(57)【特許請求の範囲】
【請求項１】
濡れた手を乾燥させる空気を下方へ吹き出すノズル部と、前記ノズル部に空気を送出するファンモーターと、前記ファンモーターから送出される空気を加熱する加熱手段とを備えた装置本体を壁面に前方へ突出させて設置し、前記装置本体を、前記ノズル部の吹き出し口部分を除いてフロントケースで包囲し、前記フロントケースは前記装置本体に、前記壁面に対し直交する方向に動かして着脱自在とした手乾燥装置であって、前記フロントケースの上面に係止突部を設け、前記装置本体の上部に、前記フロントケースを前記壁面に対し直交する方向に動かして前記係止突部が係止する係止凹部を設け、前記フロントケースと前記装置本体との下部を固定する固定手段を設けた手乾燥装置。
【請求項２】
フロントケースの上面に設けた係止突部は、前記上面の裏面側のみに突出した凸形状とした請求項１に記載の手乾燥装置。
【請求項３】
係止突部をフロントケースと一体成形した請求項１または２に記載の手乾燥装置。
【請求項４】
フロントケースの両側面上部を手で押圧して前記フロントケースを撓ませ、係止突部と係止凹部の係止を外す構成とした請求項１〜３のいずれかに記載の手乾燥装置。
【発明の詳細な説明】
【技術分野】
【０００１】
本発明は、洗浄後の濡れた手を衛生的かつ迅速に乾燥させる手乾燥装置に関するものである。
【背景技術】
【０００２】
従来より、洗浄後の濡れた手を、ハンカチや手拭い等の直接的な接触を回避して衛生的かつ迅速に乾燥させる装置として、高速空気流により手に付着した水滴を吹き飛ばして乾燥させる手乾燥装置が知られている（例えば、特許文献１参照）。
【０００３】
従来の手乾燥装置は、図５に示すように、内部に送風手段１０１と、送風を加熱する加熱手段１０２と、下面に送風を吹き出す吹出ノズル１０３を有する本体ケース１０４と、本体ケース１０４の下方に配設され、本体ケース１０４との間に手挿入空間を形成する水受け１０５とから構成され、本体ケース１０４がフロントケース１０６とリアケース１０７とからなり、フロントケース１０６は天面後端に設けた係止爪１０８いよってリアケース１０７と係合し、この係合部を回動支点として前後方向に回動自在に、かつ着脱自在に設けられて、リアケース１０７側を包囲していた。
【特許文献１】特許第３９７０７６２号公報（０００７段落および００１９段落、図１および図１４）
【発明の開示】
【発明が解決しようとする課題】
【０００４】
このような従来の手乾燥装置では、リアケース１０７側は、ノズル部１０３、ファンモーター１０１、加熱手段等１０２を備えているので、前方にある程度大きな寸法で突出し、そして、このリアケース１０７側を包囲するフロントケース１０６は、その上部を支点として前後方向に回動させて着脱するようにしているので、フロントケース１０６の回動に支障とならないようにフロントケース１０６とリアケース１０７側との間に空間を設ける必要があり、製品として本来必要でない空間を有した大きさとなっていたという課題がある。
【０００５】
本発明は、このような従来の課題を解決するものであり、製品の機能上必要な大きさからなるコンパクトな手乾燥装置を提供することを目的とする。
【課題を解決するための手段】
【０００８】
本発明の手乾燥装置は、上記目的を達成するために、濡れた手を乾燥させる空気を下方へ吹き出すノズル部と、前記ノズル部に空気を送出するファンモーターと、前記ファンモーターから送出される空気を加熱する加熱手段とを備えた装置本体を壁面に前方へ突出させて設置し、前記装置本体を、前記ノズル部の吹き出し口部分を除いてフロントケースで包囲し、前記フロントケースは前記装置本体に、前記壁面に対し直交する方向に動かして着脱自在とした手乾燥装置であって、前記フロントケースの上面に係止突部を設け、前記装置本体の上部に、前記フロントケースを前記壁面に対し直交する方向に動かして前記係止突部が係止する係止凹部を設け、前記フロントケースと前記装置本体との下部を固定する固定手段を設けたものである。
【０００９】
また、他の手段は、フロントケースの上面に設けた係止突部は、前記上面の裏面側のみに突出した凸形状としたものである。
【００１０】
また、他の手段は、係止突部をフロントケースと一体成形したものである。
【００１１】
また、他の手段は、フロントケースの両側面上部を手で押圧して前記フロントケースを撓ませ、係止突部と係止凹部の係止を外す構成としたものである。
【発明の効果】
【００１４】
本発明によれば、装置本体を壁面に前方へ突出させて設置し、前記装置本体を、前記ノズル部の吹き出し口部分を除いてフロントケースで包囲し、前記フロントケースは前記装置本体に、前記壁面に対し直交する方向に動かして着脱自在としたことにより、機能上必要な大きさからなるコンパクトな製品を提供できるとともに、前記フロントケースの上面に係止突部を設け、前記装置本体の上部に、前記フロントケースを前記壁面に対し直交する方向に動かして前記係止突部が係止する係止凹部を設け、前記フロントケースと装置本体との下部を固定する固定手段を設けたことにより、フロントケースの前記装置本体への着脱を容易に、かつ、固定を外観を損なうことなく行うことができる。
【００１５】
また、フロントケースの上面に設けた係止突部は、前記上面の裏面側のみに突出した凸形状としたことにより、外観をより良好に維持できる。
【００１６】
また、係止突部をフロントケースと一体成形したことにより、品質上安定するとともに、製造コストを低減できる。
【００１７】
また、フロントケースの両側面上部を手で押圧して前記フロントケースを撓ませ、係止突部と係止凹部の係止を外す構成としたことにより、両手で挟みやすいフロントケースの両側面上部に両手を付けたままで、装置本体に対する係止の外し、フロントケースの取り外しの一連の動作を行うことができ、スムーズな取り外し操作ができる。
【発明を実施するための最良の形態】
【００２０】
本発明の請求項１記載の手乾燥装置は、濡れた手を乾燥させる空気を下方へ吹き出すノズル部と、前記ノズル部に空気を送出するファンモーターと、前記ファンモーターから送出される空気を加熱する加熱手段とを備えた装置本体を壁面に前方へ突出させて設置し、前記装置本体を、前記ノズル部の吹き出し口部分を除いてフロントケースで包囲し、前記フロントケースは前記装置本体に、前記壁面に対し直交する方向に動かして着脱自在とした手乾燥装置であって、前記フロントケースの上面に係止突部を設け、前記装置本体の上部に、前記フロントケースを前記壁面に対し直交する方向に動かして前記係止突部が係止する係止凹部を設け、前記フロントケースと前記装置本体との下部を固定するものであり、フロントケースと装置本体の上部において係止突部と係止凹部で係止・取り外しすることにより、フロントケースと装置本体の着脱が容易に行え、一方、強固な装着をそれぞれの下部において固定手段で固定するが、この固定手段は下部に設けられるので使用者には見えにくいという作用を有する。
【００２１】
また、本発明の請求項２記載の手乾燥装置は、フロントケースの上面に設けた係止突部は、前記上面の裏面側のみに突出したものであり、係止突部はフロントケースの上面の裏面側のみに突出し、表面側は平面状のままであるので、係止突部を設けることによりデザインを損なうことはないという作用を有する。
【００２２】
また、本発明の請求項３記載の手乾燥装置は、係止突部をフロントケースと一体成形したものであり、一体成形されているので、係止凹部との係止・外しの繰り返しに対して安定した強度が維持できるという作用を有する。
【００２３】
また、本発明の請求項４記載の手乾燥装置は、フロントケースの両側面上部を手で押圧して前記フロントケースを撓ませ、係止突部と係止凹部の係止を外す構成としたものであり、フロントケースの取り外し時、フロントケースの両側面上部を両手の指で押して装置本体との係止を外し、両手をそのままの位置で壁面に対し直交する方向に動かして取り外すことができるという作用を有する。
【００２４】
以下、本発明の実施の形態について、図１〜図４を参照しながら説明する。
【００２５】
（実施の形態１）
図１および図２に示すように、リアケース１に、高速流を送出するファンモーター２とファンモーター２から送出する空気を加熱する加熱手段３と、ファンモーター２から送出されて加熱手段３で加熱された温風を下方に向けて吹き出すノズル部４とを設けて、装置本体５を構成している。
【００２６】
装置本体５は、トイレや洗面所の壁面６に設置され、フロントケース７でノズル部４の吹き出し口部分を除いて包囲されている。フロントケース７は下方に、ノズル部４から吹き出される空気流と、この空気流によって濡れた手から吹き飛ばされる水滴とを受け止める水受け８を一体的に有している。
【００２７】
そして、フロントケース７は、樹脂成形品からなり、その上面の裏面側のみに一体成形で突出させた凸形状の係止突部７ａを設け、この係止突部７ａをリアケース１の上部に設けた係止凹部１ａに係止して、リアケース１の下部に、ねじ等の固定手段９で強固に固定する。
【００２８】
係止突部７ａと係止凹部１ａは、フロントケース７を壁面に対し直交する方向に、すなわち、係止突部７ａが水平方向に移動して係止するとともに、フロントケース７の両面側の上部を押すことによってフロントケース７の上面を撓ませ、係止突部７ａと係止凹部１ａの係止を外す。
【００２９】
また、フロントケース７は、その下面が、装置本体５の下部に沿う大きさで、壁面６に対し略直角の形状となっている。
【００３０】
次に、上記構成の手乾燥装置を掃除やメンテナンスをするために行うフロントケース７の着脱について説明する。
【００３１】
フロントケース７を取り外す場合は、下部の固定手段９を外したのち、図３の矢印で示すように、フロントケース７の両側面の上部を両手の指で挟むようにして押すと、フロントケース７の上面が上方に撓み、係止凹部１ａに係止している係止突部７ａが係止凹部１ａから外れ、両手をそのままの位置で、図４の矢印で示すように、壁面６に対し直交する方向に引いて動かすと、フロントケース７が装置本体５から容易に外れる。
【００３２】
一方、フロントケース７を取り付ける場合は、フロントケース７を両手で持って、壁面６に対し直交する方向に動かし、装置本体５を包囲するように押し付けていくと、係止突部７ａと係止凹部１ａが係止し、フロントケース７が装置本体５に容易に取り付く。そして、固定手段９により固定して取り付けが完了する。固定手段９は、フロントケース７を装置本体５に強固に固定するために使用するが、フロントケース７の下部に位置しているので、使用者からは見えにくく、外観を損なうことはない。
【００３３】
このように、本実施の形態１によれば、フロントケース７の着脱は壁面６に対し直交する方向に動かして行うので、フロントケース７の大きさを装置本体５へ構成部品が占める大きさ以上にする必要はなく、機能上必要な大きさとしてコンパクトな製品とすることができ、また、この着脱が長期にわたって行われても、係止突部７ａはフロントケース７に一体成形されているので安定して強度が維持でき、さらに、係止突部７ａはフロントケース７の裏面側のみに設け、表面に現れないので、外観を良好に維持できる。
【００３４】
なお、実施の形態１では、フロントケース７を下方に水受け８を有する構成としたが、水受け８を有しなく、ノズル部４から床面方向に吹き下ろす手乾燥装置としてもよい。
【産業上の利用可能性】
【００３５】
本発明の手乾燥装置は、機能上必要な寸法からなるコンパクトな大きさとなり、トイレ、洗面所等の限られたスペースの室に設置する装置として有用である。
【図面の簡単な説明】
【００３６】
【図１】本発明の実施の形態１の壁面設置時の手乾燥装置を示す側構成図
【図２】同手乾燥装置の分解斜視図
【図３】同手乾燥装置のフロントケース取り外し時を示す正面図
【図４】同側面図
【図５】従来の手乾燥装置の側構成図
【符号の説明】
【００３７】
１ａ  係止凹部
２    ファンモーター
３    加熱手段
４    ノズル部
５    装置本体
６    壁面
７    フロントケース
７ａ  係止突部
９    固定手段
【図１】
0004281831.tif 000002
【図２】
0004281831.tif 000003
【図３】
0004281831.tif 000004
【図４】
0004281831.tif 000005
【図５】
0004281831.tif 000006